(57)【要約】【課題】  シェーディング補正に用いる白基準板にゴミ・汚れが付着した場合にも、良好な読取結果が得られる画像読取装置を提供する。【解決手段】  白基準板から読み取った白基準データを用いて画素毎にシェーディング補正を行なう画像読取装置であって、読取対象となる原稿の端部の画像データと白基準データとを画素毎に比較して白基準板の異常状態を検出する検出手段と、白基準板の異常が検出された画素について、白基準データに代えて、異常検出画素の周辺画素の白基準データ群と原稿の端部の画像データ群および異常検出画素における前記原稿の端部の画像データとから算出される白基準補正データを用いてシェーディング補正を行なう補正手段とを備える。【選択図】  図１
2008311963.tif 000002
【特許請求の範囲】
【請求項１】
白基準板から読み取った白基準データを用いて画素毎にシェーディング補正を行なう画像読取装置であって、
読取対象となる原稿の端部の読取データと白基準データとを画素毎に比較して白基準板の異常状態を検出する検出手段と、
白基準板の異常が検出された画素について、白基準データに代えて、前記原稿の端部の読取データを用いてシェーディング補正を行なう補正手段とを備えることを特徴とする画像読取装置。
【請求項２】
白基準板から読み取った白基準データを用いて画素毎にシェーディング補正を行なう画像読取装置であって、
読取対象となる原稿の端部の読取データと白基準データとを画素毎に比較して白基準板の異常状態を検出する検出手段と、
白基準板の異常が検出された画素について、白基準データに代えて、前記異常検出画素の周辺画素の白基準データ群と前記原稿の端部の読取データ群および前記異常検出画素における前記原稿の端部の読取データとから算出される白基準補正データを用いてシェーディング補正を行なう補正手段とを備えることを特徴とする画像読取装置。
【請求項３】
請求項２に記載の画像読取装置であって、
前記白基準補正データは、前記異常検出画素の周辺画素の白基準データ平均値と前記原稿の端部の読取データ平均値との比に、前記異常検出画素における前記原稿の端部の読取データを乗じたものであることを特徴とする画像読取装置。
【請求項４】
請求項１〜３のいずれか一項に記載の画像読取装置であって、
前記原稿の端部の読取データを格納する記憶手段と、
前記記憶手段に格納された原稿の端部の読取データを用いて、原稿読取データから原稿の下地色を除去する下地色除去手段とをさらに備えることを特徴とする画像読取装置。
【請求項５】
白基準板から読み取った白基準データを用いて画素毎にシェーディング補正を行なう画像読取装置におけるシェーディング補正方法であって、
白基準板を読み取って白基準データを取得するステップと、
読取対象となる原稿の端部の読取データを取得するステップと、
原稿の端部の読取データと白基準データとを画素毎に比較して白基準板の異常状態を検出する検出ステップと、
白基準板の異常が検出された画素について、白基準データに代えて、前記原稿の端部の読取データをシェーディング補正に用いるデータとする白基準データ補正ステップとを有すること特徴とするシェーディング補正方法。
【請求項６】
白基準板から読み取った白基準データを用いて画素毎にシェーディング補正を行なう画像読取装置におけるシェーディング補正方法であって、
白基準板を読み取って白基準データを取得するステップと、
読取対象となる原稿の端部の読取データを取得するステップと、
原稿の端部の読取データと白基準データとを画素毎に比較して白基準板の異常状態を検出する検出ステップと、
白基準板の異常が検出された画素について、白基準データに代えて、前記異常検出画素の周辺画素の白基準データ群と前記原稿の端部の読取データ群および前記異常検出画素における前記原稿の端部の読取データとから算出される補正データをシェーディング補正に用いるデータとする白基準データ補正ステップとを有すること特徴とするシェーディング補正方法。
【発明の詳細な説明】
【技術分野】
【０００１】
本発明は、画像読取装置に係り、特に、シェーディング補正に用いる白基準板にゴミ・汚れが付着した場合にも、良好な読取結果が得られる画像読取装置および画像読取装置におけるシェーディング補正方法に関する。
【背景技術】
【０００２】
画像読取装置は、光源ランプの光量不均一性や画像読取素子の感度バラツキ等による読取画像のムラを防止するために、原稿の読取りに先立ち、シェーディング補正を行なっている。シェーディング補正では、画像読取装置に備えられた白基準板を読み取り、読取データに基づいて、読取素子毎に補正式を作成する。なお、実際には白基準の読み取りとともに黒基準の読み取りも行なってシェーディング補正を行なうが、本明細書では黒基準の読み取りは取り扱わないものとする。
【０００３】
図１０は、シェーディング補正の概要を示す図である。本図では、主走査方向に並んだ各読取素子が白基準板を読み込んだ結果を白基準読取データとして示している。なお、読取データは８ビットの階調で表され、暗い方から明るい方に向かって、０〜２５５の値で示されるものとする。シェーディング補正は、例えば、ある読取素子が読み取った白基準読取データが２３５であったとすると、原稿読取時の読取データ２３５が最大明度の２５５に変換されるような補正式をその読取素子に対して作成する。
【０００４】
ところが、白基準板にゴミ・汚れ等が付着すると、本図に示すように、対応する読取素子は低い明度（例えば、７０）を読取データとして出力してしまう。この場合、原稿読取時の読取データ７０が最大明度の２５５に変換されるような補正式が作成されるため、原稿の読取データが過剰に白側に補正されることになる。この結果、原稿の読取画像に、副走査方向に白いスジが発生してしまう。
【０００５】
特許文献１には、白基準板にゴミ・汚れ等が付着したことによる画像不良を防止するために以下のような技術が記載されている。すなわち、光源ランプの光量不均一性や画像読取素子の感度バラツキ等は、原稿読取り時においても読取データに影響を与えるが、一方で、白基準板に付着したゴミ・汚れ等は、原稿の読取り時には読取データに影響を与えないことから、白基準板の読取データと、原稿の先端部分の読取データとの差分を算出し、その差が所定の値を超えた場合に、白基準板にゴミ・汚れ等が付着していると判断して、ユーザに白基準板の清掃・交換を促す警告を出力するというものである。
【特許文献１】特開平１１−２５２３６２号公報
【発明の開示】
【発明が解決しようとする課題】
【０００６】
特許文献１に記載された技術は、白基準板にゴミ・汚れ等が付着したことを検出して、ユーザに警告を通知するに留まるため、ユーザが警告を無視したり、対処方法がわからずに画像読取り処理を行なうと、依然と、読取画像に、副走査方向の白いスジが発生してしまうことになる。
【０００７】
本発明は、このような状況を鑑みてなされたものであり、シェーディング補正に用いる白基準板にゴミ・汚れが付着した場合にも、良好な読取結果が得られる画像読取装置および画像読取装置におけるシェーディング補正方法を提供することを目的とする。
【課題を解決するための手段】
【０００８】
上記課題を解決するため、本発明の第１の態様である画像読取装置は、白基準板から読み取った白基準データを用いて画素毎にシェーディング補正を行なう画像読取装置であって、読取対象となる原稿の端部の読取データと白基準データとを画素毎に比較して白基準板の異常状態を検出する検出手段と、白基準板の異常が検出された画素について、白基準データに代えて、原稿の端部の読取データを用いてシェーディング補正を行なう補正手段とを備えることを特徴とする。
【０００９】
白基準板にゴミ・汚れが付着しており、白基準データの値をそのままシェーディング補正に使用すると、原稿の読取画像に白いスジが発生してしまうおそれがある場合には、白基準データに代えて原稿端部の読取データをシェーディング補正用のデータとして採用することにより、白いスジの発生を防ぐようにしている。
【００１０】
上記課題を解決するため、本発明の第１の態様である画像読取装置は、白基準板から読み取った白基準データを用いて画素毎にシェーディング補正を行なう画像読取装置であって、読取対象となる原稿の端部の読取データと白基準データとを画素毎に比較して白基準板の異常状態を検出する検出手段と、白基準板の異常が検出された画素について、白基準データに代えて、異常検出画素の周辺画素の白基準データ群と原稿の端部の読取データ群および異常検出画素における原稿の端部の読取データとから算出される白基準補正データを用いてシェーディング補正を行なう補正手段とを備えることを特徴とする。
【００１１】
白基準板のゴミ・汚れにより影響を受けた画素の周辺画素における白基準読取データと原稿端部読取データと影響を受けた画素の原稿端部読取データとから算出される白基準補正データを用いることで、ユーザが白基準板に付着したゴミ・汚れ等に対応しなくても、良好な読み取り結果を得ることができる。
【００１２】
より具体的には、白基準補正データは、異常検出画素の周辺画素の白基準データ平均値と原稿の端部の読取データ平均値との比に、異常検出画素における原稿の端部の読取データを乗じたものとすることができる。
【００１３】
さらに、原稿の端部の読取データを格納する記憶手段と、記憶手段に格納された原稿の端部の読取データを用いて、原稿読取データから原稿の下地色を除去する下地色除去手段と備えるようにしてもよい。下地色除去処理を行なう際に、下地色除去用データを別途読み読み込んで記憶手段に格納する必要がなくなるため、記憶領域の削減、処理時間の短縮を実現することができる。
【００１４】
上記課題を解決するため、本発明の第３の態様であるシェーディング補正方法は、白基準板から読み取った白基準データを用いて画素毎にシェーディング補正を行なう画像読取装置におけるシェーディング補正方法であって、白基準板を読み取って白基準データを取得するステップと、読取対象となる原稿の端部の読取データを取得するステップと、
原稿の端部の読取データと白基準データとを画素毎に比較して白基準板の異常状態を検出する検出ステップと、白基準板の異常が検出された画素について、白基準データに代えて、原稿の端部の読取データをシェーディング補正に用いるデータとする白基準データ補正ステップとを有する。
【００１５】
上記課題を解決するため、本発明の第４の態様であるシェーディング補正方法は、白基準板から読み取った白基準データを用いて画素毎にシェーディング補正を行なう画像読取装置におけるシェーディング補正方法であって、白基準板を読み取って白基準データを取得するステップと、読取対象となる原稿の端部の読取データを取得するステップと、原稿の端部の読取データと白基準データとを画素毎に比較して白基準板の異常状態を検出する検出ステップと、白基準板の異常が検出された画素について、白基準データに代えて、異常検出画素の周辺画素の白基準データ群と原稿の端部の読取データ群および異常検出画素における原稿の端部の読取データとから算出される補正データをシェーディング補正に用いるデータとする白基準データ補正ステップとを有する。
【発明の効果】
【００１６】
本発明によれば、シェーディング補正に用いる白基準板にゴミ・汚れが付着した場合にも、良好な読取結果が得られる画像読取装置および画像読取装置におけるシェーディング補正方法が提供される。
【発明を実施するための最良の形態】
【００１７】
本発明の実施の形態について図面を参照して説明する。図１は、本実施形態における画像読取装置１の構成を示すブロック図である。画像読取装置１は、ＣＰＵ１０、画像読取機構部２０、処理用プログラムが不揮発的に格納されたＲＯＭ３０、作業領域として用いられるＲＡＭ４０を備えて構成される。ＣＰＵ１０は、ＲＯＭ３０に格納された処理用プログラムを実行することで、読取制御部１１０、画像処理部１２０を仮想的に構築する。
【００１８】
読取制御部１１０は、ユーザからの指示に基づいて画像読取機構部２０を制御し、画像読取処理を行なう。画像処理部１２０は、画像読取機構部２０が読み取った画像データをデジタルデータに変換したり、シェーディング補正、下地色カット等の画像処理を行なう。
【００１９】
画像読取機構部２０は、原稿搬送機構、画像読取素子であるＣＣＤ、光源、白基準板等を備えて構成される。なお、本実施形態では、ＣＣＤをライン状に配置してラインセンサを構成し、ラインセンサに対して原稿を搬送させて画像データを読み取る原稿搬送方式の画像読取装置を例に説明する。ただし、本発明は、原稿搬送方式に限られず、原稿に対してＣＣＤを搭載したキャリッジを移動させるフラットベッド方式の画像読取装置、その他の方式の画像読取装置にも適用することができる。
【００２０】
図２は、画像読取機構部２０の構成を模式的に示す図である。本図に示すように画像読取機構部２０は、ＣＣＤがライン状に配置されたラインセンサ２１と、ＬＥＤ等の光源ランプ２２、ラインセンサ２１の対面に配置された白基準板２３、複数のローラ等で構成された原稿搬送機構２４を備えている。この構成により、原稿Ｇは、ラインセンサ２１の方向（主走査方向）と直交する方向（副走査方向）に搬送され、１ラインずつ読み取られる。以下では、主走査方向をＸ軸方向として説明を行なう。
【００２１】
図３は、画像読取装置１の読取状態を模式的に示す図である。図３（ａ）は、原稿Ｇの読み取りに先立ち行なわれるシェーディング補正用データの読取状態を示し、図３（ｂ）は、原稿Ｇの先端部分の読取状態を示している。図３（ａ）に示すように、シェーディング補正用データの読み取りに際しては、原稿Ｇが搬送されていない状態で光源ランプ２２をオンにして、ラインセンサ２１が白基準板２３の反射光を読み取る。このため、白基準板２３にゴミ・汚れ等が付着している場合には、読取データに影響を与え、その場所の明度が低下することになる。図３（ｂ）に示すように、原稿Ｇの先端部分の読み取りに際しては、原稿Ｇが読み取り位置まで搬送され、ラインセンサ２１により原稿Ｇの反射光が読み取られる。この状態では、白基準板２３にゴミ・汚れ等が付着していたとしても、読取データに影響は与えない。
【００２２】
図４は、読み取り結果の一例を示す図である。図４（ａ）は、白基準板２３の読み取り結果である白基準読取データを示し、図４（ｂ）は、原稿Ｇの先端部分の読み取り結果である原稿先端読取データを示し、図４（ｃ）は、両者を重ねた図を示している。
【００２３】
図４（ａ）の白基準読取データでは、Ｘ１とＸ２の２箇所で明度が著しく落ちている。この原因としては、一般に、読取素子ＣＣＤの感度が低い、あるいは、白基準板２３にゴミ・汚れ等が付着していることが考えられる。図４（ｂ）の原稿先端読取データでは、原稿幅に対応する領域で明度が若干落ちている。この落ちは、白基準板２３に比べて原稿Ｇの下地色が暗い場合に顕著である。逆に、原稿Ｇの下地色が白基準板２３程度に真っ白の場合には、ほとんど落ち込みは見られない。また、原稿先端読取データでは、Ｘ２の１箇所で明度が著しく落ちている。
【００２４】
すなわち、図４（ｃ）に示すように、Ｘ２の箇所では白基準読取データおよび原稿先端読取データの両方とも明度が落ち込んでいるのに対し、Ｘ１の箇所では、白基準読取データだけが明度が落ち込んでいることになる。このことから、Ｘ２の箇所に対応するＣＣＤの感度が低いことと、Ｘ１の箇所で白基準板２３にゴミ・汚れが付着していることがわかる。これらのうち、ＣＣＤの感度が低い場合には、従来のシェーディング補正で対処することが可能である。しかしながら、白基準板２３にゴミ・汚れが付着している場合には、従来の補正では対処することができず、原稿読取画像に白スジが発生することになる。
【００２５】
そこで、本実施形態では以下の補正処理を行なうこととする。図５は、本発明の第１の実施例におけるシェーディング補正処理を説明するフロー図である。ここでは、ラインセンサ２１で、３０００画素の読み取りを行なう例で説明する。なお、上述のように、シェーディング補正における黒基準の読み取りの説明は省いている。
【００２６】
まず、光源ランプ２２をオンにして（Ｓ１０１）、光源ランプ２２の出力が安定したら白基準板２３の反射光を読み取り、白基準データを取得する（Ｓ１０２）。白基準データは、画素ごとにＷ（１）〜Ｗ（３０００）として、ＲＡＭ４０の作業領域に格納する。なお、白基準データの取得は、同一ラインを複数回読み込んで平均を算出するようにしてもよい。また、フラットベッド方式の場合には、複数ラインを読み込んで平均を算出するようにしてもよい。
【００２７】
次いで、原稿搬送機構２４を用いて、原稿Ｇを先端部分が読み取り位置に来るまで搬送する（Ｓ１０３）。後端部分まで搬送してもよいが、画像読取の開始位置と一致するため先端部分が望ましい。その状態で原稿Ｇの反射光を読み取り、原稿先端読取データを取得する（Ｓ１０４）。原稿先端読取データは、画素ごとにＧ（１）〜Ｇ（３０００）として、ＲＡＭ４０の別の作業領域に格納する。なお、原稿先端読取データの取得は、同一ラインを複数回、あるいは、複数ラインを読み込んで平均を算出するようにしてもよい。
【００２８】
そして、処理対象の読取素子を示す変数Ｘの初期値を１として（Ｓ１０５）、変数Ｘが３０００になるまで（Ｓ１１１）、変数Ｘの値を増やしていき（Ｓ１１０）、以下に説明する画素毎のシェーディング補正式作成処理（Ｓ１０６〜Ｓ１０９）を繰り返す。
【００２９】
シェーディング補正式作成処理では、原稿先端読取データＧ（Ｘ）と白基準データＷ（Ｘ）との差（Ｇ（Ｘ）−Ｗ（Ｘ））が、所定の閾値Ｓ（＞０）より大きいかどうかを判定する（Ｓ１０６）。白基準板２３にゴミ・汚れが付着している場合には、原稿先端読取データＧ（Ｘ）は明度が落ち込まずに、白基準読取データＷ（Ｘ）だけが明度が落ち込むため、（Ｇ（Ｘ）−Ｗ（Ｘ））が閾値Ｓより大きい場合には、白基準板２３にゴミ・汚れが付着していると判断することができる。なお、閾値Ｓは、通常の読み取りバラツキ（公差）を考慮した値を設定するものとする。特に、閾値Ｓの値が小さすぎると、原稿Ｇの下地色が白基準板２３に近い場合に、誤判断を起こしやすくなるため、ある程度の大きさを有することが望ましい。
【００３０】
この結果、（Ｇ（Ｘ）−Ｗ（Ｘ））が閾値Ｓ以下の場合（Ｓ１０６：Ｎｏ）、すなわち、白基準板２３にゴミ・汚れが付着していないと判断した場合には、読み取った白基準読取データＷ（Ｘ）をそのままシェーディング補正用のデータとして採用する（Ｓ１０７）。
【００３１】
一方、（Ｇ（Ｘ）−Ｗ（Ｘ））が閾値Ｓより大きい場合（Ｓ１０６：Ｙｅｓ）、すなわち、白基準板２３にゴミ・汚れが付着していると判断した場合は、白基準読取データＷ（Ｘ）の代わりに原稿先端読取データＧ（Ｘ）をシェーディング補正用のデータとして採用する（Ｓ１０８）。
【００３２】
そして、処理対象の画素についてシェーディング補正式を作成する（Ｓ１０９）。以上の処理を全画素について行なうと（Ｓ１１１：Ｙｅｓ）、第１実施例におけるシェーディング補正式作成処理を終了する（Ｓ１１２）。
【００３３】
すなわち、第１実施例では、白基準板２３にゴミ・汚れが付着しており、白基準読取データＷ（Ｘ）の値をそのままシェーディング補正に使用すると、原稿の読取画像に白いスジが発生してしまうおそれがある場合には、白基準読取データＷ（Ｘ）に代えて原稿先端読取データＧ（Ｘ）をシェーディング補正用のデータとして採用することにより、白いスジの発生を防ぐようにしている。これは、白基準板２３に付着したゴミ・汚れは、原稿先端読取データＧ（Ｘ）に影響を与えないことと、原稿の下地色は白が多いことを考慮したものである。これにより、ユーザが白基準板２３にゴミ・汚れ等に対応しなくても、良好な読み取り結果を得ることができる。
【００３４】
つぎに、本発明の第２実施例について説明する。図６は、第２実施例のシェーディング補正式作成処理を示すフロー図である。本図に示すように第２実施例では、図５に示した第１実施例のシェーディング補正式作成処理（Ｓ１０６〜Ｓ１０９）において、処理（Ｓ１０８）に代えて、処理（Ｓ２０８）を行なう点で第１実施例と異なり、他の点については第１実施例と同様とすることができる。
【００３５】
すなわち、第１実施例では、白基準板２３にゴミ・汚れが付着して白基準読取データＷ（Ｘ）の値をそのままシェーディング補正に使用すると、原稿の読取画像に白いスジが発生してしまうおそれがある場合に、白基準読取データＷ（Ｘ）に代えて原稿先端読取データＧ（Ｘ）をシェーディング補正用のデータとして採用するようにしていた（Ｓ１０８）。これに対し、第２実施例では白基準データ補間データを作成することで、ゴミ・汚れ等により異常値となった白基準データを補正する（Ｓ２０８）。これにより、原稿の下地色が白でない場合にも良好な読み取り結果が得られるようになる。
【００３６】
図７を参照して、第２実施例における白基準データ補間データ作成処理（Ｓ２０８）について説明する。ここでは、白基準板２３にゴミ・汚れが付着していると判断された画素をｍ番目の画素とする。
【００３７】
本実施例の白基準データ補間は、ｍ番目の画素の周辺Ｎ個の画素における白基準読取データＷと原稿先端読取データＧと用いて、ｍ番目の原稿先端読取データＧ（ｍ）を補正することにより行なう。
【００３８】
具体的には、ｍを中心とした、（ｍ−Ｎ／２〜ｍ−１）番目のＮ／２個の画素群と、（ｍ＋１〜ｍ＋Ｎ／２）番目のＮ／２個の画素群で合計Ｎ個の画素群について、白基準読取データＷの平均Ｗａｖと、原稿先端読取データＧの平均ＧＡｖとの比を算出し、Ｇ（ｍ）を乗じることにより白基準データ補間データＷＣｐ（ｍ）を算出する。すなわち、
【数１】
2008311963.tif 000003
【数２】
2008311963.tif 000004
から、
【数３】
2008311963.tif 000005
を得ることができる。第２実施例では、この白基準データ補間データＷＣｐ（ｍ）を、白基準読取データＷ（ｍ）に代えてシェーディング補正用のデータとして採用する。なお、平均値算出範囲内に白基準板２３にゴミ・汚れが付着していると判断された別の画素が含まれる場合は、その画素を白基準データＷおよび原稿先端読取データＧのいずれの平均値算出からも省くことが望ましい。
【００３９】
なお、平均算出に用いるＮ個の画素は、ｍを中心に連続していることが望ましいが、離散的であってもかまわない。また、ｍが端部に寄っている場合等には、必ずしもｍを中心にしなくてもよい。Ｎ個の具体的な値は限定されないが、例えば、実験的あるいは設計上に適した値を定めておくようにする。
【００４０】
このように第２実施例では、白基準板２３のゴミ・汚れにより影響を受けたｍ番目の画素の周辺Ｎ個の画素における白基準読取データＷの平均値と原稿先端読取データＧの平均値と用いて、ｍ番目の原稿先端読取データＧ（ｍ）を補正することにより、ユーザが白基準板２３に付着したゴミ・汚れ等に対応しなくても、良好な読み取り結果を得ることができる。
【００４１】
つぎに、本発明の第３実施例について説明する。第３実施例では、シェーディング補正に加えて、原稿Ｇの下地色をカットする場合について説明する。一般に、画像読取装置でテキスト文書を読み取った場合には、文字を読みやすくするために、文字部分ははっきりと再現され、原稿Ｇの下地色は再現されないようにすることが望ましい。特に、ざら紙、色紙等の原稿Ｇを読み取る際には、原稿Ｇの下地色が濃いため、テキスト文書を認識しやすい読取画像を得るためには下地色をカットする処理が必要となる。
【００４２】
原稿Ｇの下地色のカットを行なうためには、図８に示したフロー図に示すように、第１実施例で示したシェーディング補正式の作成を終了（Ｓ１１２）した後に、下地色カット用のデータを取得し（Ｓ２１３）、下地色カット用の処理（Ｓ２１４）を行なうことになる。
【００４３】
ここで、下地カット用のデータ取得（Ｓ２１３）では、原稿Ｇの下地色を正確に認識するために、原稿Ｇの下地部分のみ、すなわち、テキスト等が含まれていない部分のデータを取得する必要がある。一般に、原稿Ｇの周辺部分は余白が設けられテキスト等が含まれないことが多い。したがって、下地色カット用のデータ取得は、原稿Ｇの周辺部分の画像データを取得すればよい。
【００４４】
そこで、第３実施例では以下のような処理を行なうものとする。再び図５のフロー図を参照して、処理（Ｓ１０２）で白基準データを取得すると、Ｗ（１）〜Ｗ（３０００）を図９に示すようにＲＡＭ４０の領域Ａ４０ａに格納する。また、処理（Ｓ１０４）で原稿先端読取データを取得すると、Ｇ（１）〜Ｇ（３０００）を図９に示すようにＲＡＭ４０の領域Ｂ４０ｂに格納する。これらの格納データを用いてシェーディング補正を行なう。
【００４５】
そして、本実施例では、さらに、領域Ｂ４０ｂにシェーディング補正用のために格納した原稿先端読取データを下地色カット用データとしても用いるようにする。シェーディング補正用に格納した原稿先端読取データは、余白部分の読取データであるので、下地色カット用データとしても用いることができるからである。
【００４６】
このため、第３実施例では、下地色カット処理を行なう際に、下地色カット用データを別途読み読み込んでＲＡＭ４０の別領域に格納する必要がなくなるため、メモリ領域の削減、処理時間の短縮を実現することができる。
【図面の簡単な説明】
【００４７】
【図１】画像読取装置の構成を示すブロック図である。
【図２】画像読取機構部の構成を模式的に示す図である。
【図３】画像読取装置の読取状態を模式的に示す図である。
【図４】読み取り結果の一例を示す図である。
【図５】第１実施例におけるシェーディング補正の処理を説明するフロー図である。
【図６】第２実施例におけるシェーディング補正式作成処理を示すフロー図である。
【図７】白基準データ補間データ作成処理について説明するための図である。
【図８】原稿の下地色カット処理を説明するフロー図である。
【図９】ＲＡＭの記憶領域を示す図である。
【図１０】シェーディング補正の概要を示す図である。
【符号の説明】
【００４８】
１…画像読取装置、２０…画像読取機構部、２１…ラインセンサ、２２…光源ランプ、２３…白基準板、２４…原稿搬送機構、３０…ＲＯＭ、４０…ＲＡＭ、１１０…読取制御部、１２０…画像処理部
【図１】
2008311963.tif 000006
【図２】
2008311963.tif 000007
【図３】
2008311963.tif 000008
【図４】
2008311963.tif 000009
【図５】
2008311963.tif 000010
【図６】
2008311963.tif 000011
【図７】
2008311963.tif 000012
【図８】
2008311963.tif 000013
【図９】
2008311963.tif 000014
【図１０】
2008311963.tif 000015